(57)【要約】【課題】  歯科用磁性アタッチメントを用いて歯科用補綴物を作製する際に使用するハウジングパターンやキーパトレイ、または石膏スペーサーである歯科用補綴物作製用補助具に於いて、術者による間違いが無く、メーカー側に於いても多くの色の歯科用補綴物作製用補助具を製造する必要の無い歯科用補綴物作製用補助具を提供すること。【解決手段】  歯科用磁性アタッチメントを用いて歯科用補綴物を作製する際に歯科用補綴物には磁石構造体を収容する凹部を形成するために、根面板にはキーパを収容する凹部を形成するために用いる補助具に於いて、熱可塑性樹脂から成るキャップ状のパターン材料または石膏から成る柱状のスペーサーであって、対応する磁石構造体またはキーパを識別するための記号が付与されていることを特徴とする歯科用補綴物作製用補助具とする。【選択図】  図１
0003102850.tif 000002
【実用新案登録請求の範囲】
【請求項１】
歯科用磁性アタッチメントを用いて歯科用補綴物を作製する際に歯科用補綴物には磁石構造体を収容する凹部を形成するために、根面板にはキーパを収容する凹部を形成するために用いる補助具に於いて、熱可塑性樹脂から成るキャップ状のパターン材料、または石膏から成る柱状のスペーサーであって、対応する磁石構造体またはキーパを識別するための記号が付与されていることを特徴とする歯科用補綴物作製用補助具。
【請求項２】
記号が、文字及び／または数字である請求項１に記載の歯科用補綴物作製用補助具。
【請求項３】
記号が印刷である請求項１または２に記載の歯科用補綴物作製用補助具。
【請求項４】
記号が歯科用補綴物作製用補助具の表面に突起または溝として付与されている請求項１ないし３の何れか一項に記載の歯科用補綴物作製用補助具。
【請求項５】
歯科用補綴物に磁石構造体を収容する凹部を形成するために用いる歯科用補綴物作製用補助具と、根面板にキーパを収容する凹部を形成するために用いる歯科用補綴物作製用補助具とが色により区別されている請求項項１ないし４の何れか一項に記載の歯科用補綴物作製用補助。
【考案の詳細な説明】
【技術分野】
【０００１】
本考案は、歯科用磁性アタッチメントを用いて口腔内へ固定する義歯などの歯科用補綴物を作製する際に用いるハウジングパターン，キーパトレイなどと呼ばれるパターン材料と、石膏から成るスペーサーに関するものである。
【背景技術】
【０００２】
従来、磁気吸引力を利用した歯科用磁性アタッチメントとしては、図４に示す様に軟磁性体から成るカップ状の外殻４ａの内部に永久磁石４ｂを収容している磁石構造体４と軟磁性体から成る通常は板状のキーパ５とから成るものが一般的である。磁石構造体４は、人工歯６ａを有する例えばレジン製の義歯床６の底に磁石構造体用の凹部（穴）６ｂを形成し、この中に歯科用セメントや歯科用レジン材料などの接着材を用いて固定される。磁性ステンレス鋼から成るキーパ５は磁石構造体４と対向するように配置され、磁石構造体４の永久磁石４ｂから発生する磁束を外殻４ａ内を通してキーパ側に誘導し磁石構造体４とキーパ５との間で発生する磁気吸引力を利用して義歯を固定するのである（例えば、特許文献１参照。）。
【０００３】
キーパは、インプラントや残存歯に固定される金属製の根面板７を鋳造する際に口腔内に露出する部位の頂部に一体で成形されている。しかし、この鋳接作業は７００℃以上の高温で行われるために金銀パラジウム合金などの磁性ステンレス鋼であるキーパは、磁性ステンレス鋼の組織が変化してしまったり、キーパの表面が酸化され酸化被膜が形成されてしまい吸引力が低下してしまい、一旦形成されてしまった酸化被膜を除去する作業は非常に困難であるという問題があった（平面且つ鏡面であるキーパの表面を維持しながら研磨する必要がある。）。更に、ＭＲＩ（核磁気共鳴診断装置：Magnetic Resonance Imaging）などの磁気を応用した医療機器を利用する場合に画像の乱れを防止するためにキーパを取り外す必要があるが、この様な場合ではその都度根面板を研削器具で破壊してキーパを削除しなければならず、再び煩雑な鋳接作業を行って根面板を作製しなければならないという問題もあった。
【０００４】
これらの問題を解決するために、根面板にハウジングパターン，キーパトレイなどと呼ばれるパターン材料や石膏から成るスペーサーである歯科用補綴物作製用補助具を用いて予め準備された収納部にキーパを歯科用の接着材を用いて取り付ける方法が提案されている（例えば、特許文献２参照。）。この方法では、レジン材やワックスなどの熱可塑性樹脂から成り、根面板の鋳造時にキーパに対応する凹部が設けられているキーパトレイと呼ばれるキャップ状のパターン材料を歯科用補綴物作製用補助具として用いてキーパが装着される部位に装着穴を形成するものである。即ち、例えば根面板の蝋型の形成に於いて該キャップ状のキーパトレイを根面板上部に埋没し、蝋型と共にキーパトレイを焼失させ、キーパトレイ部分を含む鋳造用空洞を形成し、その後、空洞内に歯科用合金を鋳込んでキーパ用の装着穴を備えた根面板を形成するのである（このとき、キャップ状のキーパトレイの内側空間は後で接着材が入るためのスペースとなるためにキーパよりも僅かに大きい。）。この方法であれば鋳接作業を行っても酸化膜が形成されることが無いので磁気吸引力が低下する虞が無い。また、歯科用の接着材によって固定するためにキーパの取り外しや再装着が簡単に行える利点がある。これは金属床の義歯の場合などの様に鋳造した歯科用補綴物に於いて磁石構造体装着部を作製する場合の歯科用補綴物作製用補助具である磁石構造体用のパターン材料（通常ハウジングパターンと呼ばれる。）でも同様である。
【０００５】
またキャップ状のパターン材料と同様に、歯科用補綴物や根面板に磁石構造体やキーパを収容する凹部を形成する方法には、補助具として石膏から成る柱状のスペーサーを用いる方法もある（特許文献２参照。）。この方法も、例えば根面板の蝋型の形成に於いて該スペーサーを根面板上部に埋没し、蝋型と共に加熱して蝋型だけを焼失させ、スペーサー部分を含む鋳造用空洞を形成し、その後、空洞内に歯科用合金を鋳込んでキーパ用の装着穴を備えた根面板を形成するのである。
【０００６】
ところで、実際に歯科用補綴物作製用補助具を用いて例えばキーパ装着部を有する根面板を作製する場合には、複数のキーパを同時に使用することがある。このとき、複数のキーパは適用する箇所が異なるから形状は同じでもそのサイズが異なる場合が多く、そのサイズの違いも、例えば直径２．０ｍｍの円盤状キーパと直径２．２ｍｍの円盤状キーパなどの様に目視で判断するには非常に難しいものであった。そのため、従来ではキーパの各サイズに対応する複数の歯科用補綴物作製用補助具を識別するために各サイズ毎に色を変えていた。しかし、サイズの種類が増えると識別する色の種類の限界から術者による色の判断ミスが生じて適用する歯科用補綴物作製用補助具を間違えてしまうという問題があった。これは金属床の義歯の場合など磁石構造体装着部を有する歯科用補綴物を作製する場合に用いる磁石構造体用の歯科用補綴物作製用補助具でも同様である。
【０００７】
この様な問題は、キーパ用の歯科用補綴物作製用補助具と磁石構造体用の歯科用補綴物作製用補助具とを同時に使用する作業の場合には更に複雑となる。即ち、通常、キーパと磁石構造体が互いに接する面の形状は一致しているのでキーパと磁石構造体にそれぞれ対応する歯科用補綴物作製用補助具の形状は外見上同じであるか非常に類似した形状であり、その高さには僅かに違いがあるものの最大で１ｍｍ程度である。これらの非常に似通ったキーパ用の歯科用補綴物作製用補助具と磁石構造体用の歯科用補綴物作製用補助具の識別も色で行っていたために、前述のサイズの違いによる色の種類と合わせて非常に多くの色が必要であった。これは術者による間違いが増えるばかりでなく、メーカー側に於いても多くの色の歯科用補綴物作製用補助具を製造する必要があるので多大な労力を強いられていたのである。
【０００８】
【特許文献１】特許第２７９５７５５号公報
【特許文献２】特開平１１−１３７５７５号公報
【考案の開示】
【考案が解決しようとする課題】
【０００９】
本考案は、歯科用磁性アタッチメントを用いて歯科用補綴物を作製する際に使用するハウジングパターンやキーパトレイ、または石膏スペーサーである歯科用補綴物作製用補助具に於いて、複数の種類の歯科用補綴物作製用補助具を用いた作業でも術者による補助具の間違いが無く、メーカー側に於いても多くの色の歯科用補綴物作製用補助具を製造する必要の無い歯科用補綴物作製用補助具を提供することを課題とする。
【課題を解決するための手段】
【００１０】
即ち本考案は、歯科用磁性アタッチメントを用いて歯科用補綴物を作製する際に歯科用補綴物には磁石構造体を収容する凹部を形成するために、根面板にはキーパを収容する凹部を形成するために用いる補助具に於いて、熱可塑性樹脂から成るキャップ状のパターン材料、または石膏から成る柱状のスペーサーであって、対応する磁石構造体またはキーパを識別するための記号が付与されていることを特徴とする歯科用補綴物作製用補助具であり、記号が、文字及び／または数字であったり、記号が印刷であったり、記号が歯科用補綴物作製用補助具の表面に突起または溝として付与されていることが好ましいのである。更に、歯科用補綴物に磁石構造体を収容する凹部を形成するために用いる歯科用補綴物作製用補助具と、根面板にキーパを収容する凹部を形成するために用いる歯科用補綴物作製用補助具とが色により区別されていることが好ましい歯科用補綴物作製用補助具である。
【考案の効果】
【００１１】
本考案に係る歯科用補綴物作製用補助具は、歯科用磁性アタッチメントを用いて歯科用補綴物を作製する際に使用するハウジングパターンやキーパトレイ、または石膏スペーサーである歯科用補綴物作製用補助具に於いて、複数の種類の歯科用補綴物作製用補助具を用いた作業でも術者による補助具の間違いが無く、メーカー側に於いても多くの色の歯科用補綴物作製用補助具を製造する必要の無い歯科用補綴物作製用補助具である。
【考案を実施するための最良の形態】
【００１２】
以下、図面により本考案に係る歯科用補綴物作製用補助具について詳細に説明する。
図１は熱可塑性樹脂から成るキャップ状のパターン材料である歯科用補綴物作製用補助具の１実施例を示す斜視説明図、図２は石膏から成る柱状のスペーサーである歯科用補綴物作製用補助具の１実施例を示す斜視説明図、図３は図１の歯科用補綴物作製用補助具の断面図、図４は歯科用磁性アタッチメントの使用例を示す概略図である。
【００１３】
図１に本考案に係る熱可塑性樹脂から成るキャップ状のパターン材料である歯科用補綴物作製用補助具の１実施例を示す。
図面中１は、対応する磁石構造体またはキーパを識別するための記号が付与されている熱可塑性樹脂から成るキャップ状のパターン材料である歯科用補綴物作製用補助具の本体である。熱可塑性樹脂から成るキャップ状のパターン材料である歯科用補綴物作製用補助具の本体１は、特開平１１−１３７５７５や特開２００３−３３３７５などに開示されている従来のものが特に制限無く使用可能である。
【００１４】
図２に本考案に係る石膏から成る柱状のスペーサーである歯科用補綴物作製用補助具の１実施例を示す。
図面中２は、対応する磁石構造体またはキーパを識別するための記号が付与されている石膏から成る柱状のスペーサーである歯科用補綴物作製用補助具の本体である。石膏から成る柱状のスペーサーである歯科用補綴物作製用補助具の本体２は、根面板の蝋型の形成に於いて該スペーサーを根面板上部に埋没し、蝋型と共に加熱して蝋型だけを焼失させ、スペーサー部分を含む鋳造用空洞を形成する必要があるために蝋と共に消却されない石膏で構成されている。
【００１５】
石膏から成る柱状のスペーサーである歯科用補綴物作製用補助具の本体２に関しても特開平１１−１３７５７５や特開２００３−３３３７５などに開示されている従来のものが特に制限無く使用可能であるが、更に本考案に於いては、例えば円錐台の様に上面と下面との大きさが若干異なるものや、上面または下面の少なくとも１方の辺が面取りされている形状も含む。この様な形状とすることで歯科用の接着材を用いて根面板や歯科用補綴物に接着する際にアンダーカットとして機能し脱落を防止する効果を得ることができる。また、石膏から成る柱状のスペーサーである歯科用補綴物作製用補助具の本体２の側面２ａに溝やレール状突起などの凸凹を設けても同様の効果をえることが可能である。
【００１６】
各図面中の３は、本考案に係る歯科用補綴物作製用補助具に於いて、対応する磁石構造体またはキーパを識別するために付与される記号である。この記号３はその識別が容易であればアルファベット，ギリシャ文字，漢字などの各種文字や、アラビア数字，ローマ数字などの各種数字であっても良く、更に星形やハート，スペードなどの様なマークや模様であっても良い。実際には、使用する磁石構造体に付けられている名前に対応した記号を用いることが好ましく、例えば市販されている磁石構造体がEX400やD600など磁力を示す数字を名称としている場合なら図１に示したようにそれに対応するアラビア数字や図２に示したような漢字で識別すると、より多くの種類を分かり易く表現することができる。
【００１７】
記号３は、歯科用補綴物作製用補助具の任意な部位に付与しても良いが、確認の行い易さから図１〜３に示した様に、熱可塑性樹脂から成るキャップ状のパターン材料である歯科用補綴物作製用補助具の本体１の底面１ｂや、石膏から成る柱状のスペーサーである歯科用補綴物作製用補助具の本体２の底面２ｂに付与することが好ましい。
【００１８】
特に熱可塑性樹脂から成るキャップ状のパターン材料である歯科用補綴物作製用補助具の本体１の場合では、図１に示したように底面１ｂの外側１ｂｂに付与することが好ましいが、鋳型を作製した後の磁石構造体の装着や接着を阻害しない印刷や溝状の彫り込みであれば、底面１ｂの内側１ｂａに付与しても良い。このとき、記号を底面１ｂの内側１ｂａや特に側面１ａの内側に溝状として付与すると、前述の側面に付与した溝と同様に歯科用の接着材を用いて根面板や歯科用補綴物に接着する際にアンダーカットとして機能し脱落を防止する効果を得ることができる。また、熱可塑性樹脂から成るキャップ状のパターン材料である歯科用補綴物作製用補助具の本体１が透明な熱可塑性樹脂であれば、記号は底面１ｂを構成する熱可塑性樹内部に付与されていても良いのは勿論である。
【００１９】
記号３を付与する方法は特に限定されず、図２の実施例の様に一般的な印刷や図１に示した様に歯科用補綴物作製用補助具の表面に突起（または溝）として付与することができる。また、石膏から成る柱状のスペーサーである歯科用補綴物作製用補助具の本体２に付与する場合は記号が記されたシールなどを貼っても良いのは言うまでもない。
【００２０】
本考案に係る熱可塑性樹脂から成るキャップ状のパターン材料である歯科用補綴物作製用補助具は、従来の色によって区別されていた歯科用補綴物作製用補助具と比較して、術者による間違いが少なくメーカー側に於いても多くの色の歯科用補綴物作製用補助具を製造する必要の無いスペーサーであるが、より術者による間違いを少なくするためには、キーパ用のキーパトレイと磁石構造体用のハウジングパターンの区別は従来の色による区別とし、キーパ用のキーパトレイと磁石構造体用のハウジングパターンの各々のサイズの違いのみを記号で識別することが最も好ましい。
【図面の簡単な説明】
【００２１】
【図１】本考案に係る熱可塑性樹脂から成るキャップ状のパターン材料である歯科用補綴物作製用補助具の１実施例の斜視説明図。
【図２】本考案に係る石膏から成る柱状のスペーサーである歯科用補綴物作製用補助具の１実施例の斜視説明図。
【図３】図１の歯科用補綴物作製用補助具の断面図。
【図４】歯科用磁性アタッチメントの使用例を示す概略図。
【符号の説明】
【００２２】
１  熱可塑性樹脂から成るキャップ状のパターン材料である歯科用補綴物作製用補助具の
本体
１ａ  側面
１ｂ  底面
１ｂａ  底面の内側
１ｂｂ  底面の外側
２  石膏から成る柱状のスペーサー本体である歯科用補綴物作製用補助具の本体
２ａ  側面
２ｂ  底面
３  記号
４  磁石構造体
４ａ  外殻
４ｂ  永久磁石
５  キーパ
６  義歯床
６ａ  人工歯
６ｂ  凹部
７  根面板
【図１】
0003102850.tif 000003
【図２】
0003102850.tif 000004
【図３】
0003102850.tif 000005
【図４】
0003102850.tif 000006